(57)【要約】【課題】毛髪を引っ張ったり傷めたりする等して被理容者に不快感を与えることがなく、また、操作者も抵抗感を感じることなく常に軽快にカッティングを行える実用性に秀れたすき鋏の提供。【解決手段】刃縁１を形成した刃板２と、櫛刃３を溝４を介して多数並設状態に突設した櫛状刃板５とを、両刃板２・５の交叉部で枢着して開閉自在に構成したすき鋏であって、櫛刃３間の溝底部８が、溝開口部９に比して幅広となるように櫛刃３の側縁形状を設定し、この幅広の溝底部８に櫛刃３の並設方向と略平行な平坦底縁部10を設け、この溝４に隣接する左右の櫛刃３の側縁基端側に、この櫛刃３の側縁３ａと平坦底縁部10とを滑らかに連設する凹湾曲角縁部11を設ける。【選択図】図３
2008178467.tif 000002
【特許請求の範囲】
【請求項１】
刃縁を形成した刃板と、櫛刃を溝を介して多数並設状態に突設した櫛状刃板とを、両刃板の交叉部で枢着して開閉自在に構成し、前記櫛刃の先端縁に支承された毛髪を刃板の刃縁によって切断し、前記櫛刃間の溝底部に溜まった毛髪は刃板の刃縁によって切断し得ないように構成したすき鋏であって、前記櫛刃間の溝底部が、溝開口部に比して幅広となるように前記櫛刃の側縁形状を設定し、この幅広の溝底部に前記櫛刃の並設方向と略平行な平坦底縁部を設けて、前記溝底部を丸底形状ではなく幅広平底形状に構成すると共に、この溝に隣接する左右の櫛刃の側縁基端側に、この櫛刃の側縁と前記平坦底縁部とを滑らかに連設する凹湾曲角縁部を設けたことを特徴とするすき鋏。
【請求項２】
前記溝開口部から入り込む前記毛髪の入り込み方向に対して略直交する方向に平坦となるように前記平坦底縁部を形成したことを特徴とする請求項１記載のすき鋏。
【請求項３】
前記凹湾曲角縁部は、隣り合う前記平坦底縁部の端部同士を結ぶ仮想直線より櫛刃の突出方向側に設けたことを特徴とする請求項１，２のいずれか１項に記載のすき鋏。
【請求項４】
前記櫛刃間の溝が溝開口部から溝底部に向かって徐々に幅広となるように、前記櫛刃を、基端側から先端側に向かって徐々に幅広となる先広がり状に構成したことを特徴とする請求項１〜３のいずれか１項に記載のすき鋏。
【発明の詳細な説明】
【技術分野】
【０００１】
本発明は、すき鋏に関するものである。
【背景技術】
【０００２】
例えば特許文献１に開示されるような一般的なすき鋏は、刃縁を形成した刃板と櫛刃を多数並設状態に突設した櫛状刃板とを、両刃板の交叉部で枢着して開閉自在に構成し、前記櫛刃の先端縁で毛髪を支承保持し、この支承保持した毛髪を刃板の刃縁によって切断し、前記櫛刃間の溝底部に溜まった毛髪は刃板の刃縁によって切断し得ないように構成されている。
【０００３】
ところで、すき鋏は上述のように両刃板間に入った毛髪のうち、櫛刃の先端縁で支承保持された毛髪のみを切断し、溝底部に溜まった残余の毛髪は切断しないため、毛髪を切断するため頭髪に挿し入れたすき鋏を抜き取る際、上記残余の毛髪は溝底部に沿って抜き出ることになる。
【０００４】
しかしながら、従来のすき鋏においては、上記残余の毛髪を抜き出す際（特にすき鋏を頭髪から素早く抜き取り操作する際）、この毛髪とすき鋏（櫛刃間の溝底部）との間に抵抗感を生じ、毛髪がすき鋏（櫛状刃板）に引っ掛かる感じがすき鋏の操作者の理容作業（カッティング）を妨げたり、被理容者に不快感を与えることがあった。
【０００５】
そこで、従来から溝底部からの毛髪の抜けを良好にするため、例えば図１に図示したように、櫛刃Ａ間の溝底部Ｂの底縁形状をできるだけ滑らかな丸底形状とすること等が試みられてはいるものの、未だ上記の抵抗感は解消されていない。尚、図１中、符号Ｃは毛髪、Ｄは櫛状刃板である。
【０００６】
【特許文献１】特開２００５−３２３９５１号公報
【発明の開示】
【発明が解決しようとする課題】
【０００７】
本発明は、上述のような現状に鑑み、種々の研究の結果、従来は溝底部の底縁形状を滑らかな丸底形状とすることで、溝底部の両端部側へと広がろうとする毛髪の移動が丸底形状により阻止されて、毛髪が溝底部中央に密集してしまい、却って毛髪の抜動を阻害していたことを見い出し、これを解決したもので、櫛刃の先端縁に支承保持されずに溝底部に溜まった毛髪をスムーズにこの溝底部から抜き出すことができ、すき鋏を頭髪から抜き取る際、毛髪と櫛状刃板とに引っ掛かり感が生ぜず、毛髪を引っ張ったり傷めたりする等して被理容者に不快感を与えることがなく、また、操作者も抵抗感を感じることなく常に軽快にカッティングを行える今までにない極めて実用性に秀れたすき鋏を提供するものである。
【課題を解決するための手段】
【０００８】
添付図面を参照して本発明の要旨を説明する。
【０００９】
刃縁１を形成した刃板２と、櫛刃３を溝４を介して多数並設状態に突設した櫛状刃板５とを、両刃板２・５の交叉部で枢着して開閉自在に構成し、前記櫛刃３の先端縁６に支承された毛髪７を刃板２の刃縁１によって切断し、前記櫛刃３間の溝底部８に溜まった毛髪７は刃板２の刃縁１によって切断し得ないように構成したすき鋏であって、前記櫛刃３間の溝底部８が、溝開口部９に比して幅広となるように前記櫛刃３の側縁形状を設定し、この幅広の溝底部８に前記櫛刃３の並設方向と略平行な平坦底縁部10を設けて、前記溝底部８を丸底形状ではなく幅広平底形状に構成すると共に、この溝４に隣接する左右の櫛刃３の側縁基端側に、この櫛刃３の側縁３ａと前記平坦底縁部10とを滑らかに連設する凹湾曲角縁部11を設けたことを特徴とするすき鋏に係るものである。
【００１０】
また、前記溝開口部９から入り込む前記毛髪７の入り込み方向に対して略直交する方向に平坦となるように前記平坦底縁部10を形成したことを特徴とする請求項１記載のすき鋏に係るものである。
【００１１】
また、前記凹湾曲角縁部11は、隣り合う前記平坦底縁部10の端部同士を結ぶ仮想直線Ｉより櫛刃３の突出方向側に設けたことを特徴とする請求項１，２のいずれか１項に記載のすき鋏に係るものである。
【００１２】
また、前記櫛刃３間の溝４が溝開口部９から溝底部８に向かって徐々に幅広となるように、前記櫛刃３を、基端側から先端側に向かって徐々に幅広となる先広がり状に構成したことを特徴とする請求項１〜３のいずれか１項に記載のすき鋏に係るものである。
【発明の効果】
【００１３】
本発明は、上述のように構成したから、櫛刃の先端縁に支承保持されずに溝底部に溜まった毛髪をスムーズにこの溝底部から抜き出すことができ、すき鋏を頭髪から抜き取る際、毛髪と櫛状刃板とに引っ掛かり感が生ぜず、毛髪を引っ張ったり傷めたりする等して被理容者に不快感を与えることがなく、また、操作者も抵抗感を感じることなく常に軽快にカッティングを行える今までにない極めて実用性に秀れたすき鋏となる。
【００１４】
また、請求項２，３記載の発明においては、本発明を一層容易に実現できる一層実用性に秀れたものとなる。
【００１５】
また、請求項４記載の発明においては、溝底部の容量が大きくなり、溝底部からの毛髪の抜けが一層良好となる一層実用性に秀れたものとなる。
【発明を実施するための最良の形態】
【００１６】
好適と考える本発明の実施形態（発明をどのように実施するか）を、図面に基づいて本発明の作用を示して簡単に説明する。
【００１７】
頭髪に櫛状刃板５を挿し入れて刃板２と櫛状刃板５とで挟持した毛髪７を切断する。この際、前記櫛刃３の先端縁上の毛髪７が刃板２の刃縁１によって切断され、前記櫛刃３間の溝４に入った毛髪７（溝底部８に溜まった毛髪７）は切断されない。
【００１８】
また、頭髪に挿し入れた櫛状刃板５を抜き取る際、この溝底部８に溜まった毛髪７は、幅広な平坦底縁部10及び凹湾曲角縁部11全体に満遍なく広がって分散した状態で当接しながら溝底部８から良好に抜き出ることになる。
【００１９】
即ち、図１に図示したように溝底部Ｂが丸底形状である場合には、分散しようとする（溝底部Ｂの両端部側へと移動しようとする）毛髪Ｃの動きを反り返った円弧が阻害し、逆に毛髪Ｃは丸底状の溝底部中央に集中して束状となり、毛髪Ｃの抜出経路が溝底部中央に集中するために毛髪Ｃの抜けが悪く、櫛状刃板Ｄを抜き取る際にどうしても抵抗感が生じてしまうが、本発明によれば、図２に図示したように溝底部８を幅広平板形状とすることで、溝底部８の両端部側への毛髪７の移動が抵抗なくスムーズに行われ、各毛髪７が分散状態でこの平坦底縁部10と当接しながら抜けていくため、毛髪７が溝底部中央に集中せず、毛髪７の抜出経路が溝底部８全体に亘って分散して存在することになり、極めて毛髪７の抜けが良く、櫛状刃板５を抜き取る際の抵抗感が大幅に低減することになる。
【００２０】
また、両刃板２・５を閉じた状態では溝底部８と刃板２の刃縁１との間に僅かな間隙が残り、この間隙の毛髪７（溝底部８に溜まった毛髪７）は切断されないが、従来の形状では毛髪が溝底部中央に密集して束状となり、この束状となった毛髪が刃板の刃縁と接触してしまい、この状態で頭髪から鋏を引き抜こうとすると、刃板の刃縁と毛髪との間に強い摩擦が生じ非常に抜けが悪くなってしまう。この点、本発明によれば、上述のように毛髪７が溝底部８上に広く薄く分散するため、両刃板２・５を閉じた状態で鋏を引き抜く際、刃板２の刃縁１と毛髪７とが接触しにくく、それだけ抜けが良くなる。
【００２１】
更に、平坦底縁部10の両側の凹湾曲角縁部11により、櫛刃３の側縁３ａと平坦底縁部10とが滑らかに連設されることで、毛髪７は平坦底縁部10だけでなく凹湾曲角縁部11にも亘って分散し、溝底部８の角縁からもスムーズに毛髪７が抜けていくことになり、この角縁で毛髪７が引っ掛かることもなく、この点も櫛状刃板５を抜き取る際の抵抗感の大幅な低減に寄与することになる。
【００２２】
従って、開口部９に比し幅広な溝底部８に平坦底縁部10を設けることで幅広平底形状として、毛髪７を分散した状態で当接せしめながら抜出することが可能となり、更に、角縁を滑らかな凹湾曲角縁部11とすることで、前記平坦底縁部10だけでなく前記凹湾曲角縁部11にも沿うようにして前記毛髪７をスムーズに抜出することができ、櫛状刃板５の抜き取り操作に伴う櫛刃３間の溝４へと入り込んだ毛髪７の抜出を抵抗感なく行うことができ、素早く操作しても良好に毛髪７を抜出せしめながらカッティングを行える極めて扱い易く極めて実用性に秀れた商品価値の高いすき鋏となる。
【００２３】
また、例えば、前記櫛刃３間の溝４が溝開口部９から溝底部８に向かって徐々に幅広となるように、前記櫛刃３を、基端側から先端側に向かって徐々に幅広となる先広がり状に構成した場合には、複数の凹状保持縁により複数回に分けて各凹状保持縁に支承保持された毛髪７を切断することが可能となり、溝４へと入り込む毛髪７をよりスムーズに溝底部８に分散状態で到達せしめることが可能となる一層実用性に秀れたすき鋏となる。
【実施例】
【００２４】
本発明の具体的な実施例について図２〜５に基づいて説明する。
【００２５】
本実施例は、刃縁１を形成した刃板２と、櫛刃３を溝４を介して多数並設状態に突設した櫛状刃板５とを、両刃板２・５の交叉部を支点ネジ12で枢着して開閉自在に構成し、前記櫛刃３の先端縁６に支承された毛髪７を刃板２の刃縁１によって切断し、前記櫛刃３間の溝底部８に溜まった毛髪７は刃板２の刃縁１によって切断し得ないように構成したすき鋏であって、前記櫛刃３間の溝底部８が、溝開口部９に比して幅広となるように前記櫛刃３の側縁形状を設定し、この幅広の溝底部８に前記櫛刃３の並設方向と略平行な平坦底縁部10を設けて、前記溝底部８を丸底形状ではなく幅広平底形状に構成すると共に、この溝４に隣接する左右の櫛刃３の側縁基端側に、この櫛刃３の側縁３ａと前記平坦底縁部10とを滑らかに連設する凹湾曲角縁部11を設けたものである。
【００２６】
具体的には、櫛刃３の先端縁６に毛髪７を支承保持する凹状保持縁を複数設けると共に、前記櫛刃３間の溝４が溝開口部９から溝底部８に向かって徐々に幅広となるように、前記櫛刃３を、基端側から先端側に向かって徐々に幅広となる先広がり状に構成し、幅広の溝底部８により櫛刃３間に入った毛髪７を良好に分散支承できるように構成すると共に、頭髪に櫛状刃板５を挿し込んだ際、前記先端縁６に支承保持される毛髪７の量を増加させることで、一回のカッティング動作で切断できる毛髪７の量を増加させつつ、溝底部８に毛髪７が溜まり過ぎないようにして、この溝底部８から毛髪７を良好に抜き出せるようにしたものである。尚、後述するが本実施例は先端縁６に支承保持される毛髪７の量が増加しても毛髪７を切断する際の抵抗が極めて小さくなるように構成している。
【００２７】
即ち、本実施例は、図１に図示したような溝底部Ｂを丸底形状とし溝幅が溝開口部から溝底部まで略同一な従来例と異なり、図２，３に図示したように溝底部８を溝開口部９より幅広な（溝開口部９から溝底部８に向かって幅広となる）平底形状としたもので、溝開口部９から入り込んだ毛髪７がスムーズに溝底部８へと分散状態で当接し、頭髪から櫛状刃板５を引き抜く際、毛髪７を平坦底縁部10から凹湾曲角縁部11に亘って広く分散した状態で平坦底縁部10及び凹湾曲角縁部11に沿って抜出することができ、従来例のように毛髪が丸底形状の溝底部の中央に集中して抜け辛くなることがなく、極めて効率良くスムーズに毛髪７を抜出することができ、櫛刃３の先端縁６で支承保持した多くの毛髪７を抵抗なく軽快にカッティングしつつ櫛刃３間に入った毛髪７をスムーズに抜くことができ、より素早い頭髪への鋏の出し入れが可能で、毛髪７を傷めることなくカッティングの作業性を大幅に向上できるものである。
【００２８】
各部を具体的に説明する。
【００２９】
櫛刃３は、櫛状刃板５と交叉部で枢着される刃板２の刃縁の開閉軌道に沿って湾曲した状態で櫛状刃板５に多数並設状態に突設している。この櫛刃３の側縁３ａは、櫛刃３を、基端側から先端側に向かって徐々に幅広となる先広がり状となるように、櫛刃先端側から櫛刃基端側に向かって、櫛刃３が徐々に幅狭となるように同方向（櫛状刃板５の先端側）に向かって湾曲するように設定している。また、図３中右側の側縁３ａが櫛刃基端側に向かうにつれて深く湾曲するのに対し、左側の側縁３ａの湾曲度合いは略一定としている。
【００３０】
従って、櫛刃３間の溝４は、溝開口部９側から溝底部８側に向かって徐々に幅広となり、この櫛刃３間に入った毛髪７を滞らせることなく溝開口部９から溝底部８へと移動させることができる。また、溝底部８が幅広となることで、それだけこの溝底部８の容量が大きくなり、多数の毛髪７が入った場合でも密集しにくく、両刃板２・５を閉じた状態で引き抜く場合も抵抗なくスムーズに毛髪７を溝底部８から抜くことができる。
【００３１】
また、本実施例においては、櫛刃３間の溝４を、曲面加工が可能なワイヤ放電加工やレーザー加工若しくはプラズマ加工を用いて形成している。従って、砥石を用いて櫛刃３間に溝４を直線状に切込形成する場合にはできなかった溝開口部９が狭く溝底部８が広い形状の溝４を簡易に形成できることになる。また、溝底部８の凹湾曲角縁部11の形成も容易となる。
【００３２】
溝底部８は、溝開口部９から入り込む前記毛髪７の入り込み方向に対して略直交する方向に平坦な平坦底縁部10と、隣り合う前記平坦底縁部10の端部同士を結ぶ仮想直線Ｉより櫛刃３の突出方向側（櫛刃先端側）に設けた凹湾曲角縁部11とで構成している（即ち、櫛刃３の基端側に形成されるくびれ縁が図中下方へ垂れ過ぎないようにしている。）。従って、毛髪７は溝４に入り込むと自重により自然に溝底部８へと移動し、且つ、溝底部８が広く平坦で毛髪７の移動を阻害する凹凸がないため、毛髪７は自然に分散状態で溝底部８全体に満遍なく当接することになる。
【００３３】
即ち、溝底部８は、両角が丸い（湾曲Ｒ形状の）平底形状となることで、頭髪から櫛状刃板５を引き抜く際、平坦底縁部10の存在により櫛刃３間の溝４へと入り込んだ毛髪７はこの平坦底縁部10に沿って左右に分散移動可能となり中央部に集中せず、平坦底縁部10に広く分散した状態で抜けると共に、櫛刃３の側縁３ａに沿って凹湾曲角縁部11に到達した毛髪７及び平坦底縁部10に沿って広がろうとする毛髪７が凹湾曲角縁部11が引っ掛かりなく良好に抜けることになり、溝底部８全体を利用して毛髪７を抜くことができ、従来のような問題点は生じない。
【００３４】
尚、溝底部８の平坦底縁部10の幅は、溝底部８の幅（溝４の最大幅）の約５５％である。平坦底縁部10の幅は、櫛刃３の並設ピッチにより異なるが、スムーズな抜き心地を得るには、溝底部８の幅と平坦底縁部10の幅の比は４：１以上、より好ましくは２：１以上（溝底部８の幅の５０％以上）に設定することが望ましいことを種々の実験により確認している（平坦底縁部10が狭すぎる場合、凹湾曲角縁部10が大きくなり、毛髪７の両側への移動が阻害されるため。）。
【００３５】
また、前記櫛状刃板５の櫛刃３の先端縁６に毛髪７を支承保持する凹状保持縁を形成し、この凹状保持縁に支承保持される毛髪７を棒状刃板２の刃縁１によって切断するように構成している。尚、図５に図示したように、櫛刃３の先端縁６を、凹状保持縁を設けず傾斜案内縁19と直線状縁20とで構成しても良い。また、櫛刃３の側縁３ａは湾曲形状に限らず、図５に図示したように、直線形状としても良い。また、図５の溝底部８の平坦底縁部10の幅は溝底部８の幅の約５０％に設定している。
【００３６】
具体的には、前記櫛刃３の先端縁６に、直線状の傾斜長辺部13とこれと対向状態に設ける傾斜短辺部14とから成る偏Ｕ字状縁若しくは偏Ｖ字状縁を形成すると共に、前記傾斜長辺部13の先端が前記傾斜短辺部14の先端よりも前記刃板１側に突出状態となるように形成し、この偏Ｕ字状縁若しくは偏Ｖ字状縁を形成する傾斜長辺部13は、毛髪７を前記傾斜短辺部14側に案内する傾斜案内縁となるように形成し、前記傾斜短辺部14は、前記傾斜案内縁としての傾斜長辺部13により案内された毛髪７が、櫛刃３間に入ることを阻止する阻止縁となるように形成して、この傾斜短辺部14と傾斜長辺部13の基部13ａとにより、前記櫛刃３の先端縁６の一側寄り（本実施例においては基端側寄り）に形成される凹縁部15を前記凹状保持縁としたものである。尚、図中、符号16は母指穴、17は環指穴である。また、傾斜長辺部13と傾斜短辺部14の長さの比は、少なくとも４対１以上となるように傾斜長辺部13を傾斜短辺部14に比しかなり長尺に設定する。
【００３７】
また、本実施例においては、複数の凹状保持縁を櫛刃３の先端縁に並設した構成としている。具体的には、前記偏Ｕ字状縁を複数並設した構成としても良いし、傾斜案内縁のない単なるＵ字状縁を前記偏Ｕ字状縁と並設した構成としても良い。本実施例においては、前記凹縁部15に加え、この凹縁部15からあふれ排出した毛髪７を支承保持するこの凹縁部15と略同形状の凹溝18を凹縁部15の低位側に凹設した構成、即ち、刃板２の閉動軌道に沿って４つ並設している。また、４つの凹溝18を並設するため、本実施例においては、櫛刃３は、先端側が基端側よりかなり幅広な先広がり形状に形成している。尚、凹溝18の並設数は図４に図示したような１つなど適宜設定することができる。また、図４の溝底部８の平坦底縁部10の幅は溝底部８の幅の約５３％に設定している。
【００３８】
本実施例は上述のように構成したから、頭髪に櫛状刃板５を挿し入れて刃板２と櫛状刃板５とで挟持した毛髪７を切断する際、前記櫛刃３の先端縁上の毛髪７が刃板２の刃縁１によって切断され、前記櫛刃３間の溝４に入った数本から十数本の毛髪７（溝底部８に溜まった毛髪７）は切断されない。
【００３９】
そして、異なる部位の毛髪７を切断するため頭髪に挿し入れた櫛状刃板５を抜き取る際、この溝底部８に溜まった毛髪７は、幅広な平坦底縁部10及び凹湾曲角縁部11全体に満遍なく広がって分散した状態で当接しながら溝底部８から抜き出ることになる。
【００４０】
即ち、図１に図示したように溝底部Ｂが丸底形状である場合には、分散しようとする（溝底部Ｂの両端部側へと移動しようとする）毛髪Ｃの動きを反り返った円弧が阻害し、逆に毛髪Ｃは丸底状の溝底部中央に集中して束状となり、毛髪Ｃの抜出経路が溝底部中央に集中するために毛髪Ｃの抜けが悪く、櫛状刃板Ｄを抜き取る際にどうしても抵抗感が生じてしまうが、本実施例によれば、図２に図示したように溝底部８を幅広平板形状とすることで、溝底部８の両端部側への毛髪７の移動が抵抗なくスムーズに行われ、各毛髪７が分散状態でこの平坦底縁部10と当接しながら抜けていくため、毛髪７が溝底部中央に集中せず、毛髪７の抜出経路が溝底部８全体に亘って分散して存在することになり、極めて毛髪７の抜けが良く、櫛状刃板５を抜き取る際の抵抗感が大幅に低減することになる。
【００４１】
また、両刃板２・５を閉じた状態では溝底部８と刃板２の刃縁１との間に僅かな間隙が残り、この間隙の毛髪７（溝底部８に溜まった毛髪７）は切断されないが、従来の形状では毛髪が溝底部中央に密集して（前記間隙幅より径大な）束状となり、この束状となった毛髪が刃板の刃縁と接触してしまい、この状態で頭髪から鋏を引き抜こうとすると、刃板の刃縁と毛髪との間に強い摩擦が生じ非常に抜けが悪くなってしまう。この点、本実施例によれば、上述のように毛髪７が溝底部８上に広く薄く分散するため、両刃板２・５を閉じた状態で鋏を引き抜く際、刃板２の刃縁１と毛髪７とが接触しにくく、それだけ抜けが良くなる。
【００４２】
更に、平坦底縁部10の両側の凹湾曲角縁部11により、櫛刃３の側縁３ａと平坦底縁部10とが滑らかに連設されることで、毛髪７は平坦底縁部10だけでなく凹湾曲角縁部11にも亘って分散し、溝底部８の角縁からもスムーズに毛髪７が抜けていくことになり、この角縁で毛髪７が引っ掛かることもなく、この点も櫛状刃板５を抜き取る際の抵抗感の大幅な低減に寄与することになる。
【００４３】
従って、開口部９に比し幅広な溝底部８に平坦底縁部10を設けることで幅広平底形状として、毛髪７を分散した状態で当接せしめながら抜出することが可能となり、更に、角縁を滑らかな凹湾曲角縁部11とすることで、前記平坦底縁部10だけでなく前記凹湾曲角縁部11にも沿うようにして前記毛髪７をスムーズに抜出することができ、櫛状刃板５の抜き取り操作に伴う櫛刃３間の溝４へと入り込んだ毛髪７の抜出を抵抗感なく行うことができ、素早く操作しても良好に毛髪７を抜出せしめながらカッティングを行える極めて扱い易く極めて実用性に秀れた商品価値の高いすき鋏となる。
【００４４】
また、前記櫛刃３の先端縁６に毛髪７を支承保持する凹状保持縁を複数設け得ると共に、前記櫛刃３間の溝４が溝開口部９から溝底部８に向かって徐々に幅広となるように、前記櫛刃３を、基端側から先端側に向かって徐々に幅広となる先広がり状に構成したから、複数の凹状保持縁により複数回に分けて各凹状保持縁に支承保持された毛髪７を切断することが可能となり、より軽快なカッティングが可能になると共に、溝４へと入り込む毛髪７をよりスムーズに溝底部８に分散状態で到達せしめることが可能となる。
【００４５】
よって、本実施例は、鋏を素早く出し入れすることが要求される場合に毛髪を良好に抜きだすことができると共に、多くの毛髪を一度に軽快に且つ確実にカットすることが可能な極めて商品価値の高いすき鋏となる。
【００４６】
本発明は、本実施例に限られるものではなく、各構成要件の具体的構成は適宜設計し得るものである。
【図面の簡単な説明】
【００４７】
【図１】従来例の要部の拡大概略説明側面図である。
【図２】本実施例の概略説明図である。
【図３】本実施例の要部の拡大概略説明側面図である。
【図４】別例の要部の拡大概略説明側面図である。
【図５】別例の要部の拡大概略説明側面図である。
【符号の説明】
【００４８】
１  刃縁
２  刃板
３  櫛刃
４  溝
５  櫛状刃板
６  先端縁
７  毛髪
８  溝底部
９  溝開口部
10  平坦底縁部
11  凹湾曲角縁部
【図１】
2008178467.tif 000003
【図２】
2008178467.tif 000004
【図３】
2008178467.tif 000005
【図４】
2008178467.tif 000006
【図５】
2008178467.tif 000007